【事件の表示】
　特許第２８６９９２１号「リモートコントロール装置」の特許に対する特許異議の申立てについて、次のとおり決定する。
【結　論】
　訂正を認める。
　特許第２８６９９２１号の特許を維持する。
【理　由】
（１）手続の経緯
　特許第２８６９９２１号の請求項１に係る発明は、平成２年２月９日に特許出願され、平成１１年１月８日にその特許の設定登録がなされ、その後異議申立人戸叶孝一により特許異議の申立がなされ、取消理由通知がなされ、その指定期間内である平成１２年４月１７日に訂正請求がなされたものである。　
（２）訂正の適否についての判断
　（ア）訂正明細書の請求項１に係る発明
　訂正明細書の請求項１に係る発明は、その特許請求の範囲の請求項１に記載された次の事項により特定されるとおりのものである。
「（１）撮影装置のリモートコントロール信号に応じた表示を、焦点検出が可能であると判断された場合に、該撮影装置の焦点調節のための補助光を発する照射手段に行わせる制御手段を有することを特徴とするリモートコントロール装置。」
　（イ）訂正の内容
　訂正事項ａ
　特許請求の範囲の請求項１中の「表示を、」の後に、「焦点検出が可能であると判断された場合に、」を加入する。
　訂正事項ｂ
　明細書の「発明の詳細な説明、（発明の特徴）」中（本件特許公報第１頁第２欄第１１行）の「表示を、」の後に、「焦点検出が可能であると判断された場合に、」を加入する。
　（ウ）訂正の目的の適否、新規事項の有無及び拡張・変更の存否
　訂正事項ａに係る訂正は、特許請求の範囲の減縮に該当し、実質的に特許請求の範囲を拡張又は変更するものではないし、新規事項の追加にも該当しない。
　訂正事項ｂに係る訂正は、明瞭でない記載の釈明に該当し、実質的に特許請求の範囲を拡張又は変更するものではないし、新規事項の追加にも該当しない。　 
　（エ）独立特許要件の判断
　（引用刊行物）
　訂正明細書の請求項１に係る発明（以下、「本件請求項１に係る発明」という。）に対して、当審が平成１２年１月２１日付で通知した取消理由で引用した刊行物１（特開昭６３−４４６３９号公報）には、
「能動型自動焦点検出装置を備えたカメラ」（発明の名称）
「17は、焦点検出時に前記LED30を点灯させるためのLED駆動回路であり、被写体輝度が予め決められたレベルよりも暗いときに、前記トリガ回路14より焦点検知スタート信号が出力されると、CPUIOは、AFセンサ11から出力される信号の積分開始と同時に、LED駆動回路17に対して信号線pを介して発光信号を送出する。これにより、LED駆動回路17はオンとなり、撮影レンズの移動量及び移動スピードを考慮してCPUIOより出力される比較的長い周期のタイミングでLED30を点滅させる信号を出力する。18は、セルフタイマ動作時に前記LED30を比較的短い周期で点滅させるためのLED駆動回路であり、前記タイマ回路16からハイレベルの信号が出されたとき、LED駆動回路18はオンとなる。」（第３頁右下欄第１７行〜第４頁左上欄第１２行）が記載されている。
　同刊行物２〔実願昭６０−１４０１０９号（実開昭６２−４９１３９号）のマイクロフィルム〕には、
「カメラの表示装置」（考案の名称）
「上記従来の技術においては、被写体距離測定時に用いられる光源と、カメラの動作表示部材とは別々に設けられている為にカメラ全体が大型化し、価格が高価になるという欠点があった。本考案は上記不具合に鑑みてなされたものであり、安価で小型化できるカメラの表示装置を提供することを目的とする。」（第３頁第６〜１２行）
「上記光源用LED3のAF補助光は被写体2により反射され測距回路4に入射し、この測距回路4により被写体距離が演算される。なお、被写体輝度が十分高い時には、LED3は発光せず周囲光に基づいて測定距離される。上記測距回路4の出力は上記CPU12に接続されており、このCPU12は一端がそれぞれ接地されているレリーズ釦スイッチ7a、バッテリチェック釦スイッチ8a、セルフ釦スイッチ9aの他端にそれぞれ接続されている。」（第５頁第１０〜１９行）
「以上の如く、本考案の第1実施例では、AF補助光の点灯と、バッテリチェック表示とセルフ作動表示とを1つの光源用LED3により兼用できるものである。」（第７頁第１２〜１５行）が記載されている。
　同刊行物３（特開平１−１１４８３４号公報）には、
「遠隔レリーズ機能を有するカメラ」（発明の名称）
「制御部10はシャツタレリーズの指示が入力されると(70)、レリーズ操作がセルフタイマスイッチ22の操作によるセルフタイマモードであるか否かを判断する(72)。セルフタイマモードであると判断された場合には、制御部10は、制御線108を介しタイマ14に制御信号を出力し、タイマ14を7秒にセットする(74)。タイマ14により7秒を計測している間発光ダイオード52がIHzで点滅するように制御部10は、発光ダイオード駆動部26に制御信号を出力する(76)。」（第４頁右上欄第１５行〜同頁左下欄第５行）
「ステップ72において、セルフタイマモードでない場合には、リモコン装置32によりシャツタレリーズ操作、すなわちディレイレリーズ操作が行なわれたか否かを判断し(90)、ディレイレリーズ操作が行なわれた場合にはステップ80に進みタイマ14を3秒にセットする。そして前述のセルフタイマモードの場合と同様に発光ダイオードを4Hzで点滅させ(82)、3秒間経過後にタイマ14が0秒になると(84)、シャツ夕44を開閉する(92)。」（第４頁右下欄第１〜９行）が記載されている。
　同刊行物４（特開平１−２１７４３９号公報）には、
「リモコン信号受信スタンバイ表示装置」（発明の名称）
「そして、9はセルフタイマ動作中を表示するLEDで、制御回路1によってドライブされる。」（第２頁左上欄第３〜４行）
「ここで、リモコン送信器10のスイッチ11が押されたとする。スイッチ12の状態によってモード1あるいはモード2のリモコン信号が発光素子13から出力させる。この信号は受光素子８により受光され、リモコン受信回路7はリモコンモード1あるいはモード2の信号を受光したことを制御回路1へ出力する。ここで、モード1とモード2の判別をする機能はリモコン受信回路7あるいは制御回路1のいずれかがもっていればよい。たとえば、モード1の信号であった場合、第6図において、#4から#7へ進む。#7以降はセルフタイマのときの#7以降と同様で、2秒間セルフタイマ表示LED9が8Hzで点滅したあと、#8で露光、#9で巻上げが行なわれる。すなわち、リモコンモード1ではリモコン信号を受信すると、2秒後にレリーズされる。」（第２頁右下欄第１０行〜第３頁左上欄第６行）が記載されている。
　（対比・判断）
　本件請求項１に係る発明と上記刊行物１〜４に記載の発明とを対比すると、刊行物１〜４に記載の発明は、本件請求項１に係る発明を特定する事項である、「リモートコントロール信号に応じた表示を、焦点検出が可能であると判断された場合に、焦点調節のための補助光を発する照射手段に行わせる」点、を備えておらず、この点により本件請求項１に係る発明は、明細書記載の「新たなスペースを要したり、コストアップすることなしに、撮影者のリモートコントロールに応じた表示を行うことができる」という効果、及び平成１２年４月１７日付特許異議意見書第２頁第１５〜２０行に記載された「撮影者は撮影装置に対してリモートコントロール信号を発した時、その信号に応じた表示(実施例では露光開始の表示)が行われることで、焦点検出が可能であり、リモートコントロール信号による撮影装置の正常動作が実行されることを確認できることになる。そして、その表示が行われない時は、焦点検出不可能などによりリモートコントロール信号による正常動作が実行されないことを撮影者は認識することができる」という効果を奏するものであり、本件請求項１に係る発明が上記刊行物１〜４のいずれかに記載された発明であるとも、刊行物１〜４に記載の発明から当業者が容易に推考することができたものともいえない。　　
　したがって、本件請求項１に係る発明は特許出願の際独立して特許を受けることができるものである。　
　（オ）むすび
　以上のとおりであるから、上記訂正は特許法等の一部を改正する法律（平成６年法律第１１６号。以下「平成６年改正法」という。）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。　
（３）特許異議の申立について
　（ア）申立の理由の概要
　申立人戸叶孝一は、証拠として甲第１号証（特開昭６３−４４６３９号公報）、甲第２号証〔実願昭６０−１４０１０９号（実開昭６２−４９１３９号）のマイクロフィルム〕、甲第３号証（特開平１−１１４８３４号公報）及び甲第４号証（特開平１−２１７４３９号公報）を提出し、本件請求項１に係る発明の特許は、甲第１〜４号証記載の発明に基づいて当業者が容易に発明することができたものであるので特許法第２９条第２項の規定に違反してなされたものであるから、本件請求項１に係る発明の特許を取り消すべき旨主張している。　
　（イ）甲各号証記載の発明
　申立人戸叶孝一が提出した甲第１〜４号証は、当審が平成１２年１月２１日付で通知した取消理由で引用した刊行物１〜４と同じものであり、上記「（２）、（エ）独立特許要件の判断、（引用刊行物）」において示されたとおりの発明が記載されている。
　（ウ）対比・判断
　本件請求項１に係る発明と申立人が提出した甲第１〜４号証記載の発明とを対比すると、上記「（２）、（エ）独立特許要件の判断、（対比・判断）」と同様の理由により、本件請求項１に係る発明は、甲第１〜４号証のいずれかに記載された発明であるとも、甲第１〜４号証記載の発明から当業者が容易に推考することができたものともいえない。　
　（エ）むすび
　したがって、特許異議申立の理由及び証拠によっては、本件請求項１に係る発明の特許を取り消すことはできない。
　また、他に本件請求項１に係る発明の特許を取り消すべき理由を発見しない。
　よって、結論のとおり決定する。
【異議決定日】
平成１２年６月１９日（２０００．６．１９）
【訂正の要旨】
　（訂正の要旨）
訂正事項ａ
　特許請求の範囲の請求項１中の「表示を、」の後に、「焦点検出が可能であると判断された場合に、」を加入する。
訂正事項ｂ
　明細書の「発明の詳細な説明、（発明の特徴）」中（本件特許公報第１頁第２欄第１１行）の「表示を、」の後に、「焦点検出が可能であると判断された場合に、」を加入する。
（５４）【発明の名称】
リモートコントロール装置
（５７）【特許請求の範囲】
（１）撮影装置のリモートコントロール信号に応じた表示を、
焦点検出が可能であると判断された場合に、
【発明の詳細な説明】
（発明の利用分野）
　本発明は、撮影装置の制御を行うリモートコントロール装置に関するものである。
（発明の背景）
　従来のこの種のカメラとして、リモートコントロール受信時にＬＥＤ（赤外発光ダイオード）等を照明させるものがある。
　しかしながら、前記ＬＥＤはリモートコントロール信号を受信した事を撮影者に伝えるだけの為に設けられたものであり、スペース的にもコスト的にも不利なものであった。
（発明の目的）
　本発明は、上述したような事情に鑑み為されたもので、新たなスペースを要したり、コストアップすることなしに、撮影者のリモートコントロールに応じた表示を行うことのできるリモートコントロール装置を提供しようとするものである。
（発明の特徴）
　上記目的を達成するために、本発明は、撮影装置のリモートコントロール信号に応じた表示を、
焦点検出が可能であると判断された場合に、
（発明の実施例）
　以下、本発明を図示の実施例に基づいて詳細に説明する。
　第２図は本発明の一実施例のカメラの要部構成の概略を示す図であり、該図において、ＣＭＲはカメラ本体、ＬＮＳ１は撮影レンズ、ＭＲはハーフミラー、ＭＲ−Ｓはサブミラー、ＳＴＲはシャッタ、ＦＬＭはフィルム、ＬＮＳ２は測距用レンズ、ＣＣＤはフィルム面と等価な位置に配されて被写体の像情報を取り込む測距用のラインセンサ、ＰＺＭはペンタプリズム、ＳＰＣは被写体輝度を測光するフォトダイオード、ＰＩＮＴはピント板である。
　第１図は第２図図示カメラＣＭＲ内に内蔵されている電気回路ブロックを示している。
　第１図において、ＣＯＭはカメラＣＭＲの各種動作を制御するマイクロコンピュータ（以下マイコンと記す）であり、入力ポートｉｎｔ１，ｉｎｔ２，ＰＳ１，ＰＳ２，ＰＳＦ，ＰＭＰ，ＰＡＥ，ＰＡＦ及び出力ポートＰＭ１，ＰＭ２，ＰＧ１，ＰＧ２，ＰＡＸ，ＰＶＣ、さらには８ビット出力ポートＰＡＶ，ＰＲＥＭを有している。
　ＡＤ−ＡＦは前記ラインセンサＣＣＤから得た電圧をＡ／Ｄ変換する自動焦点装置、ＡＤ−ＡＥは前記フォトダイオードＳＰＣより得た電圧を対数圧縮・Ａ／Ｄ変換する測光装置である。
　ＴＲ−Ｍ１，ＴＲ−Ｍ２，ＴＲ−ＭＧ１，ＴＲ−ＭＧ２，ＴＲ−ＡＵＸはトランジスタ、Ｍ１はフィルム巻上げ及び巻き戻しを行うモータ、Ｍ２は前記ハーフミラーＭＲのアップダウン及びシャッタチャージを行うモータ、ＭＧ１は通電でシャッタ先幕を走行させるマグネット、ＭＧ２は通電でシャッタ後幕を走行させるマグネットである。
　ＤＡＶは絞りＣＡＶを制御する絞り駆動回路で、前記出力ポートＰＡＶより入力した絞り段数に応じて絞りＣＡＶを制御する。ＲＥＭは２つのリモートコントロール（以下実施例説明においてはリモコンと記す）信号１とリモコン信号２が受信可能なリモコン信号受信部で、マイコンＣＯＭの出力ポートＰＶＣから電源が供給され、出力ポートＰＲＥＭからリモコン受信許可の信号を受け取るとリモコン受信可能状態となり、この時リモコン信号１を受信すると、マイコンＣＯＭが信号を読み取るまでポートｉｎｔ１にＨｉ（ハイレベルの信号）を出力し続け、リモコン信号２を受信するとポートｉｎｔ２にＨｉを出力し続ける。
　ＡＵＸは被写体が低コントラスト、低輝度時等に被写体にパターンを照射して合焦動作を補助するＡＦ補助光として用いられる赤外発光ダイオードであり、又該赤外発光ダイオードＡＵＸはセルフリモコンモード時においてはセルフリモコン撮影開始の指示がなされたことの表示としても用いられる。
　ＳＷ１はレリーズ釦の第１ストロークでオンになる測光スイッチ、ＳＷ２はレリーズ釦の第２ストロークでオンになる露光開始スイッチ、ＳＷＳＬＦはセルフリモコンモードか否かを選択するセルフリモコンスイッチである。
　ＳＷＭＵＰはセルフリモコンモードにおけるレリーズ時にセルフタイマ秒時開始前にミラーアップするか否か（ハーフミラーＭＲをアップするか否か）を選択するミラーアップ選択スイッチであり、撮影者はミラーアップによる振動によってブレた写真となる事を防ぎたい場合には、該スイッチＳＷＭＵＰをオンとし、又撮影開始直前まで視界を確保したい要望の方が強い場合が該スイッチＳＷＭＵＰをオフにする。
　次に、第３−１図と第３−２図に示すフローチャートを用いて動作説明を行う。
　カメラＣＭＲに電源が投入されると、マイコンＣＯＭのＲＡＭ内は全てクリアされ、各人出力ポートは初期化されて第３−１図のステップ１より動作を開始する。
［ステップ１］　セルフリモコンスイッチＳＷＳＬＦの状態を判別する。入力ポートＰＳＦがＬｏ（ローレベルの信号）であればステップ２４へ、Ｈｉであればステップ２へ進む。
［ステップ２］　マイコンＣＯＭの出力ポートＰＶＣからリモコン受信部ＲＥＭへの電源の供給を停止し、出力ポートＰＲＥＭからリモコン信号受信禁止の信号を送ってリモコン信号の受信を禁止してステップ３へ進む。
［ステップ３］　リモコン受信部ＲＥＭによりリモコン信号１を受信したか否かを判断する。リモコン受信部ＲＥＭは、リモコン信号１を受信するとマイコンＣＯＭの入力ポートｉｎｔ１にＨｉを出力し、該マイコンＣＯＭがこのＨｉを読み取ると入力ポートｉｎｔ１にＬｏを出力する。即ち、マイコンＣＯＭは入力ポートｉｎｔ１が「０」の時ステップ３６へ進み、「１」の時ステップ４へ進む。
［ステップ４］　リモコン受信部ＲＥＭによりリモコン信号２を受信したか否かを判断する。リモコン受信部ＲＥＭは、リモコン信号２を受信するとマイコンＣＯＭの入力ポートｉｎｔ２にＨｉを出力し、該マイコンＣＯＭがこのＨｉを読み取ると入力ポートｉｎｔ２にＬｏを出力する。即ち、マイコンＣＯＭは入力ポートｉｎｔ２が「０」の時ステップ４２へ進み、「１」の時ステップ５へ進む。
［ステップ５］　測光スイッチＳＷ１の状態を判別する。入力ポートＰＳ１がＬｏであればステップ８へ、Ｈｉであればステップ６へ進む。
［ステップ６］　リモコン信号を受信したときにセットされるフラグＳＷ２Ｆがセットされているか否かを判別する。セットされているときはステップ８へ、クリアされているときはステップ７へ進む。
［ステップ７］　マイコンＣＯＭをソフトウェアスタンバイ状態にする。このソフトウェアスタンバイ状態において、マイコンＣＯＭ全体だけでなく、クロックをはじめ内蔵周辺モジュールの機能が停止するため、消費電流は著しく低減されるが、規定の電圧が与えられている限り、マイコンＣＯＭ内のレジスタの内容及び内蔵ＲＡＭのデータは保持される。また、ソフトウェアスタンバイ状態の解除は、電源電圧の低下、スイッチＳＷ１の変化、セルフリモコンスイッチＳＷＳＬＦの変化、ミラーアップ選択スイッチＳＷＭＵＰの変化によって行われる。
　今、測光スイッチＳＷ１が押されると、ソフトウェアスタンバイ状態は解除され、［ＳＴＡＲＴ］からステップ１→ステップ２→ステップ３→ステップ４→ステップ５からステップ８へ進む。
［ステップ８］　公知の焦点検出動作をして、不図示のレンズ駆動モータによるレンズ駆動を行ってステップ９へと進む。
［ステップ９］　焦点検出が可能かどうかを判別する。低コントラスト、低輝度でＡＦ補助光がとどかないような遠距離に被写体があるとき、焦点検出が不可能と判断してステップ４３へ進み、それ以外の時はステップ１０へ進む。
［ステップ１０］　フォトダイオードＳＰＣから入力された情報を測光装置ＡＤ−ＡＥで対数圧縮・Ａ／Ｄ変換して公知の測光動作後、ステップ１１へ進む。
［ステップ１１］　測光値からプログラム線図に基づいたシャッタ秒時、絞り値を求めてステップ１２へ進む。
［ステップ１２］　露光開始スイッチＳＷ２の状態を判別する。入力ポートＰＳ２がＬｏであれば第３−２図の［レリーズ］へ、Ｈｉであればステップ１３へ進む。
［ステップ１３］　リモコン信号を受信したときにセットされる前記フラグＳＷ２Ｆがセットされているか否かを判別する。セットされているときはステップ３８へ、クリアされているときは［ＳＴＡＲＴ］へ戻る。
　このように、測光スイッチＳＷ１をオンしている間は、ステップ１→ステップ２→ステップ３→ステップ４→ステップ５→ステップ８→ステップ９→ステップ１０→ステップ１１→ステップ１２→ステップ１３→ステップ１へと進み、焦点検出動作と測光動作を繰り返し行う。
　次に、露光開始スイッチＳＷ２がオンされたときの処理について説明する。
　露光開始スイッチＳＷ２がオンされると、マイコンＣＯＭの制御はステップ１２から第３−２図図示の［レリーズ］へと進められる。
［ステップ１４］　セルフリモコンスイッチＳＷＳＬＦの状態を判別する。入力ポートＰＳＦがＬｏであればセルフリモコンモードであるのでステップ２５へ、Ｈｉであればステップ１５へ進む。
［ステップ１５］　ミラーアップ状態にないときは出力ポートＰＭ２にＨｉを出力してモータＭ２を駆動してミラーアップを行い、ステップ１６へ進む。
［ステップ１６］　出力ポートＰＡＶより絞り駆動回路ＤＡＶへ絞り段数を出力し、絞りＣＡＶの絞り込み制御を行い、ステップ１７へ進む。
［ステップ１７］　シャッタ秒時のアペックス値から実時間を演算してタイマにセットしてステップ１８へ進む。
［ステップ１８］　出力ポートＰＧ１よりＨｉを出力してマグネットＭＧ１に通電し、シャッタ先幕を走行させてステップ１９へ進む。
［ステップ１９］　タイマが実時間経過するまで待ち、ステップ２０へ進む。
［ステップ２０］　出力ポートＰＧ２よりＨｉを出力してマグネットＭＧ２に通電してシャッタ後幕を走行させてステップ２１へ進む。
［ステップ２１］　出力ポートＰＭ２にＨｉを出力してモータＭ２を駆動してミラーダウン及びシャッタチャージを行い、ステップ２２へ進む。
［ステップ２２］　出力ポートＰＭ１にＨｉを出力してモータＭ１を駆動してフィルムの巻上げ動作を行い、ステップ２３へ進む。
［ステップ２３］　絞り駆動回路ＤＡＶにより、絞りＣＡＶの開放制御を行い、第３−１図の（スタート）へ戻る。
　以上、ステップ１４からステップ２３までにて、露光開始スイッチＳＷ２のオンに伴うレリーズ動作が行われる。
　次に、セルフリモコンスイッチＳＷＳＬＦがオンしている時のセルフリモコンモードについて説明する。
　セルフリモコンスイッチＳＷＳＬＦがオンしている時、マイコンＣＯＭの制御はステップ１からステップ２４へと進められる。
［ステップ２４］　マイコンＣＯＭの出力ポートＰＶＣからリモコン受信部ＲＥＭへ電源を供給し、出力ポートＰＲＥＭからリモコン信号受信許可の信号を送ってリモコン信号の受信を許可し、ステップ３へ進む。
　この時、露光開始スイッチＳＷ２がオンされると、マイコンＣＯＭの制御はステップ３→ステップ４→ステップ５→ステップ８→ステップ９→ステップ１０→ステップ１１→ステップ１２→ステップ１４→ステップ２５へと進む。
［ステップ２５］　セルフリモコンモード時にレリーズした時、セルフタイマ秒時開始前にミラーアップをするミラーアップ選択スイッチＳＷＭＵＰの状態を判別する。入力ポートＰＭＰがＬｏであればステップ２６へ、Ｈｉであればステップ２７へ進む。
［ステップ２６］　出力ポートＰＭ２にＨｉを出力してモータＭ２を駆動してミラーアップを行い、ステップ２７へ進む。
［ステップ２７］　前述のフラグＳＷ２Ｆがセットされているか否かを判別する。セットされているときはステップ３９へ進み、クリアされているときはステップ２８へ進む。
［ステップ２８］　出力ポートＰＡＸから２Ｈｚのパルス信号を出力して、前記赤外発光ダイオードＡＵＸを２Ｈｚで点滅させてステップ２９へ進む。
［ステップ２９］　８秒タイマをスタートさせてステップ３０へ進む。
［ステップ３０］　前記タイマが終了するのを待ってステップ３１へ進む。
［ステップ３１］　出力ポートＰＡＸから８Ｈｚのパルス信号を出力して、前記赤外発光ダイオードＡＵＸを８Ｈｚで点滅させてステップ３２へ進む。
［ステップ３２］　２秒タイマをスタートさせてステップ３３へ進む。
［ステップ３３］　前記タイマが終了するのを待ってステップ３４へ進む。
［ステップ３４］　出力ポートＰＡＸにＬｏを出力してセルフタイマ表示として用いた前記赤外発光ダイオードＡＵＸをオフにしてステップ３５へ進む。
［ステップ３５］　前記フラグＳＷ２Ｆ、リモコン信号１を受信したときにセットされるフラグＲＥＭ１Ｆ、リモコン信号２を受信したときにセットされるフラグＲＥＭ２Ｆをクリアしてステップ１５へ進む。
　この後、ステップ１５→ステップ１６→ステップ１７→ステップ１８→ステップ１９→ステップ２０→ステップ２１→ステップ２２→ステップ２３へと進み、レリーズ動作を終了する。
　このようにセルフリモコンモードにおいて、露光開始スイッチＳＷ２をオンにしてレリーズする場合、セルフタイマ秒時の間赤外発光ダイオードＡＵＸ（補助光）を点滅させた後、つまり補助光を２Ｈｚで８秒間点滅させ、次いで８Ｈｚで２秒間点滅させた後、通常のレリーズ動作を行う。また、ミラーアップモードでない場合（ステップ２５においてミラーアップ選択スイッチＳＷＭＵＰがオフの場合）は、前記赤外発光ダイオードＡＵＸの点滅の後のステップ１５にて、つまり撮影開始直前にミラーアップを行う。
　次に、リモコン信号１を受信したときのレリーズ動作について説明する。
　リモコン受信部ＲＥＭがリモコン信号１を受信すると、マイコンＣＯＭの入力ポートｉｎｔ１にＨｉを出力し、マイコンＣＯＭの制御はステップ３からステップ３６へ進む。
［ステップ３６］　リモコン信号１を受信したことを示すフラグＲＥＭ１Ｆをセットし、リモコン信号２を受信したことを示すフラグＲＥＭ２Ｆをクリアしてステップ３７へ進む。
［ステップ３７］　リモコン信号を受信したことを示すフラグＳＷ２Ｆをセットしてステップ５へ進む。
　この後、ステップ５→ステップ８→ステップ９→ステップ１０→ステップ１１→ステップ１２→ステップ１３からステップ３８へ進む。
［ステップ３８］　前記焦点検出動作により合焦しているか否かを判別する。合焦していなければ［ＳＴＡＲＴ］へ、合焦していれば［レリーズ］へ進む。
　この後、ステップ１４→ステップ２５→ステップ２７→ステップ３９へと進む。
［ステップ３９］　前記フラグＲＥＭ１Ｆがセットされているか否かを判別する。クリアされているときはステップ３１へ、セットされているときはステップ４０へ進む。
［ステップ４０］　出力ポートＰＡＸにＨｉを出力して、赤外発光ダイオードＡＵＸを点滅させてステップ４１へ進む。
［ステップ４１］　５０ｍｓタイマをスタートさせてステップ３３へ進む。
　この後、ステップ３３→ステップ３４→ステップ３５→ステップ１５→ステップ１６→ステップ１７→ステップ１８→ステップ１９→ステップ２０→ステップ２１→ステップ２２→ステップ２３へと進み、レリーズ動作を終了する。
　このようにセルフリモコンモードにおいて、リモコン信号１を受信してレリーズする場合、赤外発光ダイオードＡＵＸをこの際のセルフタイマ秒時である５０ｍｓの間点灯の後、通常のレリーズ動作を行う。また、ミラーアップモードの場合（ステップ２５においてミラーアップ選択スイッチＳＷＭＵＰがオンの場合）は、前記赤外発光ダイオードＡＵＸの点灯によるセルフタイマ秒時開始前のステップ２６にてミラーアップを行う。
　次に、リモコン信号２を受信した時のレリーズ動作について説明する。
　リモコン受信部ＲＥＭがリモコン信号２を受信すると、マイコンＣＯＭの入力ポートｉｎｔ２にＨｉを出力し、マイコンＣＯＭの制御はステップ４からステップ４２へ進む。
［ステップ４２］　リモコン信号２を受信したことを示すフラグＲＥＭ２Ｆをセットし、リモコン信号１を受信したことを示すフラグＲＥＭ１Ｆをクリアしてステップ３７へ進む。
　この後、ステップ３７→ステップ５→ステップ８→ステップ９→ステップ１０→ステップ１１→ステップ１２→ステップ１３からステップ３８へ進み、ここで合焦していると判断した場合は、ステップ１４→ステップ２５→ステップ２７→ステップ３９→ステップ３１→ステップ３２→ステップ３３→ステップ３４→ステップ３５→ステップ１５→ステップ１６→ステップ１７→ステップ１８→ステップ１９→ステップ２０→ステップ２１→ステップ２２→ステップ２３へと進み、レリーズ動作を終了する。
　このようにセルフリモコンモードにおいて、リモコン信号２を受信してレリーズする場合、赤外発光ダイオードＡＵＸをこの際のセルフタイマ秒時である２秒間点滅の後、通常のレリーズ動作を行う。また、ミラーアップモードの場合は、前記リモコン信号２を受信した場合と同様に、前記赤外発光ダイオードＡＵＸの点滅によるセルフタイマ秒時開始前のステップ２６にてミラーアップを行う。
　次に、リモコン信号を受け付けながらも焦点検出動作ができないと判断したときの動作について説明する。
　焦点検出動作ができないと判断すると、マイコンＣＯＭの制御はステップ９からステップ４３へ進む。
［ステップ４３］　前記フラグＲＥＭ１Ｆ、フラグＲＥＭ２Ｆ、フラグＳＷ２Ｆをクリアしてステップ１０へ進む。
　この後、ステップ１０→ステップ１１→ステップ１２→ステップ１３→ステップ１→ステップ２→ステップ３→ステップ４→ステップ５→ステップ６→ステップ７へと進み、ソフトウェアスタンバイ状態となる。即ち、カメラＣＭＲはリモコン信号を受け付けると、合焦するまで焦点検出動作と測光動作を繰り返し、合焦すると［レリーズ］に進む。また、焦点検出不可能と判断すると、焦点検出動作と測光動作を終了し、ソフトウェアスタンバイ状態に移る。
　本実施例によれば、焦点検出時の補助光として用いられる赤外発光ダイオードＡＵＸを、リモコン信号１又はリモコン信号２で露光開始を撮影者に伝える表示手段にも兼用するように構成している為、スペース的にもコスト的にも有利なものとなり、撮影者は目視により露光の開始（リモコン信号受信）を確認することができる。
（発明と実施例の対応）
　以上の実施例において、赤外発光ダイオードＡＵＸが本発明の照射手段に、マイクロコンピュータＣＯＭが本発明の制御手段に、それぞれ相当する。
（発明の効果）
　以上説明したように、本発明によれば、新たなスペースを要したり、コストアップすることなしに、撮影者のリモートコントロールに応じた表示を行うことのできるリモートコントロール装置を提供できるものである。
【図面の簡単な説明】
　第１図は本発明の一実施例を示すブロック図、第２図は同じくカメラの要部構成を示す図、第３−１図及び第３−２図は本発明の一実施例における動作を示すフローチャートである。
　ＣＯＭ……マイコン、ＲＥＭ……リモコン受信部、ＡＵＸ……赤外発光ダイオード、ＳＷ１……測光スイッチ、ＳＷ２……露光開始スイッチ、ＳＷＳＬＦ……セルフリモコンスイッチ。